(57)【特許請求の範囲】
【請求項１】
シールド無しのジャックに挿入されるプラグ部と、シールド付きケーブルのプラグが挿入されるジャック部と、前記プラグ部及び前記ジャック部を一体に収容するハウジングとを備え、前記ジャックと前記プラグ部とが嵌合し、前記プラグと前記ジャック部とが嵌合することにより、前記ジャックの信号線と前記プラグの信号線とが接続されるコネクタであって、
前記ジャック部に前記プラグが挿入されることにより前記シールド付きケーブルの当該シールドを接地するアース部を更に備え、
前記アース部は、前記ジャック部に前記プラグが挿入されることにより前記シールド付きケーブルの当該シールドに導通するとともに、接地されたアース線が接続されるアース端子からなり、
前記ハウジングはシールド材に覆われ、このシールド材が前記アース端子に導通する、
ことを特徴とするコネクタ。
【請求項２】
前記ジャックは、接地された導体部を有する筐体に設けられ、
前記アース線は、前記導体部に接続される、
ことを特徴とする請求項１記載のコネクタ。
【請求項３】
前記シールド付きケーブルがＳＴＰ（Shielded Twist Pair Cable）である、
請求項１又は２記載のコネクタ。
【請求項４】
前記ジャックが合成樹脂からなるＲＪ（Registered Jack）−４５ジャックである、
請求項１乃至３のいずれか一つに記載のコネクタ。
【発明の詳細な説明】
【技術分野】
【０００１】
本発明は、通信用ケーブルを接続するためのジャックとプラグとの間に用いられるコネクタに関する。
【背景技術】
【０００２】
従来、装置設置に伴う配線工事時に、ノイズの影響を軽減するためシールドケーブルを使用することがある。しかし、シールドケーブルの接続先であるジャックの材質がプラスチックなどの絶縁性だった場合は、シールドの効果が発揮できないためシールドケーブルの使用を断念したり、シールドケーブルの被覆を剥いてシールド部分を取り出して接地する作業が必要になったりしていた。
【０００３】
特許文献１には、ジャックとプラグの結合部にそれぞれシールド板を設け、ジャック側のシールド板にアース端子を設け、ジャックとプラグの結合時に両シールド板が相互に接続するようにした、コネクタが開示されている。
【先行技術文献】
【特許文献】
【０００４】
【特許文献１】実用新案登録第３０３０６９６号公報（要約）
【発明の概要】
【発明が解決しようとする課題】
【０００５】
ケーブルの配線作業時、ノイズ対策のためＳＴＰ（Shielded Twist Pair Cable）を使用したい場合がある。この場合に、設置先のＨＵＢやルータなどに具備されたジャックがシールド非対応（プラスチック品など）であると、ＳＴＰを配線できないという問題があった。その理由は、シールド非対応ジャックにＳＴＰのプラグを接続した場合、シールドの効果を発揮できないばかりか、ＳＴＰ自身がアンテナとなってノイズを拾いやすくなるからである。
【０００６】
特許文献１のコネクタは、シールド無しのケーブルを対象としたものであり、シールド付きケーブルを使用できない。シールド付きケーブルを使用すると、シールドがアンテナになってしまうからである。
【０００７】
そこで、本発明の目的は、シールド無しのジャックに対しても、シールド付きケーブルを使用し得る、コネクタを提供することにある。
【課題を解決するための手段】
【０００８】
本発明に係るコネクタは、シールド無しのジャックに挿入されるプラグ部と、シールド付きケーブルのプラグが挿入されるジャック部と、前記プラグ部及び前記ジャック部を一体に収容するハウジングとを備え、前記ジャックと前記プラグ部とが嵌合し、前記プラグと前記ジャック部とが嵌合することにより、前記ジャックの信号線と前記プラグの信号線とが接続されるコネクタであって、
前記ジャック部に前記プラグが挿入されることにより前記シールド付きケーブルの当該シールドを接地するアース部を更に備え、
前記アース部は、前記ジャック部に前記プラグが挿入されることにより前記シールド付きケーブルの当該シールドに導通するとともに、接地されたアース線が接続されるアース端子からなり、
前記ハウジングはシールド材に覆われ、このシールド材が前記アース端子に導通する、
ことを特徴とする。
【発明の効果】
【０００９】
本発明によれば、シールド付きケーブルのプラグをジャック部に挿入すると、シールド付きケーブルのシールドが接地されるので、シールド無しのジャックに対してもシールド付きケーブルを使用できる。
【図面の簡単な説明】
【００１０】
【図１】実施形態１のコネクタを示す側面図である。
【図２】シールド付きケーブルを示す断面図である。
【図３】実施形態１のコネクタの使用方法を示す側面図であり、ジャックにプラグ部を挿入した状態である。
【図４】実施形態１のコネクタの使用方法を示す側面図であり、ジャック部にプラグを挿入した状態である。
【図５】実施形態１のコネクタの使用方法を示す側面図であり、アース端子にアース線を接続した状態である。
【図６】実施形態２のコネクタを示す側面図である。
【発明を実施するための形態】
【００１１】
以下、添付図面を参照しながら、本発明を実施するための形態（以下「実施形態」という。）について説明する。なお、本明細書及び図面において、実質的に同一の構成要素については同一の符号を用いる。図面に描かれた形状は、当業者が理解しやすいように描かれているため、実際の寸法及び比率とは必ずしも一致していない。
【００１２】
図１は、実施形態１のコネクタ１０を示す側面図であり、図２は、シールド付きケーブル８０を示す断面図である。以下、図１及び図２に基づき、コネクタ１０の構成について説明する。
【００１３】
本実施形態のコネクタ１０は、シールド無しのジャック６０に挿入されるプラグ部２０と、シールド付きケーブル８０のプラグ７０が挿入されるジャック部３０と、プラグ部２０及びジャック部３０を一体に収容するハウジング１１とを備え、ジャック６０とプラグ部２０とが嵌合し、プラグ７０とジャック部３０とが嵌合することにより、ジャック６０の信号線（ジャックコンタクト６１）とプラグ７０の信号線（プラグコンタクト７１）とが接続されるものである。そして、コネクタ１０は、ジャック部３０にプラグ７０が挿入されることによりシールド付きケーブル８０のシールド８２を接地するアース部４０を、更に備えている。
【００１４】
アース部４０は、ジャック部３０にプラグ７０が挿入されることによりシールド付きケーブル８０のシールド８２に導通するとともに、接地されたアース線４２が接続されるアース端子４１からなる、としてもよい。ハウジング１１は少なくともジャック部３０を覆う部分がシールド材からなり、このシールド材がアース端子４１に導通する、としてもよい。
【００１５】
シールド付きケーブル８０は、例えばＳＴＰ（Shielded Twist Pair Cable）であり、信号線８１と、シールド８２と、信号線８１とシールド８２との間の絶縁体８３とを有する。ジャック６０は、例えば合成樹脂からなるＲＪ（Registered Jack）−４５ジャックであり、接続先装置の筐体５０などに設けられている。
【００１６】
シールド付きケーブル８０の信号線８１及びシールド８２は、それぞれプラグ７０のプラグコンタクト７１に接続されている。ジャック部３０のジャックコンタクト３１は、内部配線１２を介して、アース端子４１及びプラグ部２０のプラグコンタクト２１に接続されている。すなわち、プラグ７０とジャック部３０とが嵌合することにより、シールド付きケーブル８０の信号線８１は、プラグ７０のプラグコンタクト７１、ジャック部３０のジャックコンタクト３１、内部配線１２を介して、プラグ部２０のプラグコンタクト２１に導通する。同様に、プラグ７０とジャック部３０とが嵌合することにより、シールド付きケーブル８０のシールド８２は、プラグ７０のプラグコンタクト７１、ジャック部３０のジャックコンタクト３１、内部配線１２を介して、アース端子４１に導通する。
【００１７】
このように、本実施形態１のコネクタ１０によれば、シールド付きケーブル８０のプラグ７０をジャック部３０に挿入すると、シールド付きケーブル８０のシールド８２が接地されるので、シールド無しのジャック６０に対してもシールド付きケーブル８０を使用できる。また、ハウジング１１は少なくともジャック部３０を覆う部分がシールド材からなり、このシールド材がアース端子４１に導通することにより、コネクタ１０から信号線に入り込もうとするノイズを阻止できる。
【００１８】
図３乃至図５は実施形態１のコネクタ１０の使用方法を示す側面図であり、図３はジャック６０にプラグ部２０を挿入した状態であり、図４はジャック部３０にプラグ７０を挿入した状態であり、図５はアース端子４１にアース線４２を接続した状態である。以下、図１乃至図５に基づき、コネクタ１０の使用方法について説明する。
【００１９】
まず、図３に示すように、ジャック６０にコネクタ１０のプラグ部２０を挿入する。ジャック６０とプラグ部２０とが嵌合することにより、ジャック６０のジャックコンタクト６１とプラグ部２０のプラグコンタクト２１とが電気的に接続される。
【００２０】
続いて、図４に示すように、コネクタ１０のジャック部３０にプラグ７０を挿入する。ジャック部３０とプラグ７０とが嵌合することにより、ジャック部３０のジャックコンタクト３１とプラグ７０のプラグコンタクト７１とが電気的に接続される。これにより、ジャック６０のジャックコンタクト６１からシールド付きケーブル８０の信号線８１までが導通する。また、アース端子４１からシールド付きケーブル８０のシールド８２までが導通する。
【００２１】
最後に、図５に示すように、コネクタ１０のアース端子４１に、接地されたアース線４２を接続する（例えばねじ止め）。これにより、シールド付きケーブル８０のシールド８２が接地される。ただし、図３→図４→図５の順番はこれに限定するものではなく、これらの順番はどのようにしてもよい。
【００２２】
次に、本実施形態１のコネクタ１０について総括する。
【００２３】
本実施形態１のコネクタ１０は、シールド付きケーブル８０のシールド８２をアース線４２に接続できる機構を持つ。パソコンやＨＵＢ等の装置に具備されているシールド非対応のジャック６０（例えばプラスチック材質のＲＪ−４５ジャック）に、コネクタ１０を取り付ける。続いて、シールド付きケーブル８０（例えばＳＴＰ）をコネクタ１０に接続することにより、シールド８２とアース端子４１とが導通する。コネクタ１０にアース線４２を接続することにより、シールド８２がアースに落ちることになるので、シールド８２を正常に機能させることが可能となる。また、当然ながら、コネクタ１０のハウジング１１も、シールド材にて覆われており、アース線４２と導通している。
【００２４】
換言すると、本実施形態１のコネクタ１０は、アース線４２を接続可能な構造となっており、アース線４２を使用してコネクタ１０に接続されたシールド付きケーブル８０を容易にアースに落とすことが可能である。ＳＴＰなどのシールド付きケーブル８０をコネクタ１０を介してＨＵＢやルータに接続することにより、接続先のジャック６０がシールド非対応であってもシールド付きケーブル８０の効果を発揮することができる。
【００２５】
更に詳しく説明する。図１には、接続先装置のジャック６０、本実施形態１のコネクタ１０、シールド付きケーブル８０などが示されている。接続先装置は、パソコンやＨＵＢやルータ等であり、ジャック６０を含む。コネクタ１０は、プラグ部２０、ジャック部３０、アース部４０、ハウジング１１を含む。接続先装置のジャック６０にはコネクタ１０のプラグ部２０が接続され、コネクタ１０のジャック部３０にはシールド付きケーブル８０が接続され、コネクタ１０のアース端子４１には銅線などのアース線４２が接続される。なお、コネクタ１０のハウジング１１は、シールド材にて覆われており、アース端子４１と導通がある。
【００２６】
図３乃至図５に示すように、まず、接続先装置（パソコン、ＨＵＢ、ルータなど）のジャック６０にコネクタ１０を実装する。続いて、コネクタ１０にシールド付きケーブル８０を実装する。続いて、コネクタ１０のアース端子４１にアース線４２を取り付ける。最後に、アース線４２を接地する。これにより、シールド付きケーブル８０のシールド８２が接地されるので、外部からのノイズの影響を低減できる。このとき、それぞれの部品の実装順序は、このとおりでなくてもよい。
【００２７】
本実施形態１のコネクタ１０によれば、接続先装置のジャック６０の材質に左右されることなく、シールド付きケーブル８０を配線作業に使用できる。
【００２８】
図６は、実施形態２のコネクタを示す側面図である。以下、この図面に基づき説明する。
【００２９】
ジャック６０は、接地された導体部５１を有する筐体５０に設けられている。本実施形態２のコネクタ１０’では、アース線４２が導体部５１に接続される（例えばねじ止め）。導体部５１は例えば金属部分である。換言すると、接続先装置が接地されている場合、導体部５１にアース線４２が接続可能であれば、そちらへアース線４２を接続してもかまわない。
【００３０】
本実施形態２のコネクタ１０’のその他の構成、作用及び効果は、実施形態１のコネクタと同様である。
【００３１】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００３２】
上記の実施形態の一部又は全部は以下の付記のようにも記載され得るが、本発明は以下の構成に限定されるものではない。
【００３３】
［付記１］シールド無しのジャックに挿入されるプラグ部と、シールド付きケーブルのプラグが挿入されるジャック部と、前記プラグ部及び前記ジャック部を一体に収容するハウジングとを備え、前記ジャックと前記プラグ部とが嵌合し、前記プラグと前記ジャック部とが嵌合することにより、前記ジャックの信号線と前記プラグの信号線とが接続されるコネクタであって、
前記ジャック部に前記プラグが挿入されることにより前記シールド付きケーブルの当該シールドを接地するアース部を、
更に備えたことを特徴とするコネクタ。
【００３４】
［付記２］前記アース部は、前記ジャック部に前記プラグが挿入されることにより前記シールド付きケーブルの当該シールドに導通するとともに、接地されたアース線が接続されるアース端子からなる、
ことを特徴とする付記１記載のコネクタ。
【００３５】
［付記３］前記ハウジングは少なくとも前記ジャック部を覆う部分がシールド材からなり、このシールド材が前記アース端子に導通する、
ことを特徴とする付記２記載のコネクタ。
【００３６】
［付記４］前記ジャックは、接地された導体部を有する筐体に設けられ、
前記アース線は、前記導体部に接続される、
ことを特徴とする付記２又は３記載のコネクタ。
【００３７】
［付記５］前記シールド付きケーブルがＳＴＰ（Shielded Twist Pair Cable）である、
付記１乃至４のいずれか一つに記載のコネクタ。
【００３８】
［付記６］前記ジャックが合成樹脂からなるＲＪ（Registered Jack）−４５ジャックである、
付記１乃至５のいずれか一つに記載のコネクタ。
【符号の説明】
【００３９】
１０，１０’  コネクタ
１１  ハウジング
１２  内部配線
２０  プラグ部
２１  プラグコンタクト
３０  ジャック部
３１  ジャックコンタクト
４０  アース部
４１  アース端子
４２  アース線
５０  筐体
５１  導体部
６０  ジャック
６１  ジャックコンタクト
７０  プラグ
７１  プラグコンタクト
８０  シールド付きケーブル
８１  信号線
８２  シールド
８３  絶縁体
【図１】
0005932436.tif 000002
【図２】
0005932436.tif 000003
【図３】
0005932436.tif 000004
【図４】
0005932436.tif 000005
【図５】
0005932436.tif 000006
【図６】
0005932436.tif 000007